(57)【特許請求の範囲】
【請求項１】
テープ素材の表面に平均粒径が４０μｍ以下（番定４００番以上）、０．５μｍ以上（１００００番以下）の範囲の砥粒が形成されてなる研磨テープと前記研磨テープを接着または縫い付けにより固定する台座を有し、釣り具や釣り用の衣服に取り付け可能な針砥ぎ治具であり、前記テープ素材を固定する台座となる素材を砥ぎ対象となる針の大きさや種類によって、硬さまたは反発力の異なるゴムまたはプラスチックまたはスポンジあるいは前記ゴムやプラスチックやスポンジを組み合わせたものとし、針先が鈍化した釣り針の先端部を鋭利に砥ぐことを特徴とする針砥ぎ治具。
【請求項２】
請求項１において、研磨テープの砥粒がアルミナやシリコンカーバイトや、酸化クロムや、ダイヤモンドや、酸化鉄であることを特徴とする針砥ぎ治具。
【請求項３】
請求項１、２において、前記テープ素材がナイロン、ポリウレタン、塩化ビニール、またはＰＥＴ（ポリエチレン  テレフタレート）であることを特徴とする針砥ぎ治具。
【請求項４】
請求項３において、前記テープ素材の色を砥粒の平均粒径に合わせ設定し、テープ裏面を着脱可能とし、当該着脱可能な研磨テープの識別を容易にすることを特徴とする針砥ぎ治具。
【発明の詳細な説明】
【技術分野】
【０００１】  本発明は、釣り針の先端を鋭利に砥ぐ治具に関する。
【背景技術】
【０００２】  従来、釣り針の先端が鈍化した場合の対策は、釣り針の交換が行われてきた。また複数の針で錨型を呈する針では、特定の針が劣化することを避けるため、鮎掛針が回転できるようにして、針先の劣化を低減しようとして来た。【０００３】  例えば、実用新案文献１では、鮎友釣りに使用する仕掛として、鮎掛針の接続部分を回転する構造にして、回転を自由に行えるようにすることで、特定の針先のみが劣化することを避ける工夫がされてきたことが記載されている。【０００４】
【実用新案文献１】
実開平６−３１４６５
前記の従来例において、例えば実用新案文献１では、鮎の友釣り用の鮎掛針の針先の劣化対策が記載されており、特に仕掛けとなる針先の劣化が大きく釣果に影響する問題が有った。また、鮎の友釣りは掛った鮎を囮として用いる循環の釣りとも言われ、劣化した針が掛った鮎を必要以上に傷めると、囮鮎の活性が衰え、著しく釣果が低下する問題があった。
そこで、頻繁に針の交換を行い、針先の鈍化を避ける工夫をしてきているが、無駄に針を廃棄することは、経済的問題ばかりか、河川の汚染にも繋がっていた。
また、海釣りにおいても、石鯛のように硬い歯先を持つ魚では１尾釣ったら針先が劣化するために、釣り針を交換する方が良いとされてきた。
【発明の開示】
【発明が解決しようとする課題】
【０００５】  本発明は、このような従来の不具合要因を解決し、すなわち、針の交換ではなく、簡単に針先を鋭利に砥ぐことで、針交換の手間と河川への針の投棄を無くし、交換の手間と費用を低減し、かつ、鮎を痛めずに確保し、釣果を上げることを目的とする。
【課題を解決するための手段】
【０００６】
請求項１には、テープ素材の表面に平均粒径が４０μｍ以下（番定４００番以上）、０．５μｍ以上（番定１００００番以下）の範囲の砥粒が形成されてなる研磨テープと前記研磨テープを接着または縫い付けにより固定する台座を有し、釣り具や釣り用の衣服に取り付け可能な針砥ぎ治具であり、前記テープ素材を固定する台座となる素材を砥ぎ対象となる針の大きさや種類によって、硬さまたは反発力の異なるゴムまたはプラスチックまたはスポンジあるいは前記ゴムやプラスチックやスポンジを組み合わせたものとし、針先が鈍化した釣り針の先端部を鋭利に砥ぐことを特徴とする針砥ぎ治具が記載されている。
平均粒径が４０μｍ以上では、基本形状を崩し、針掛かりの特性を悪化させる問題がある。また、０．５μｍ以下では、針先を研ぐのに時間を要し、短時間で十分鋭利に研ぐことができない。
【０００７】請求項２には、
請求項１において、前記研磨テープの砥粒がアルミナやシリコンカーバイトや、酸化クロムや、ダイヤモンドや、酸化鉄であることを特徴とする針砥ぎ治具が記載されている。
請求項１における砥粒の粒径の適正化や、砥粒の材質の適正化は、対象魚用のそれぞれの針素材、焼き入れ状態、針寸法、使用環境が海水であるか淡水であるかの違いや、針先コーティング素材によっても、針砥ぎ治具の適正化ができる。テフロンコーティングの鮎用錨型針では、アルミナやシリコンカーバイトの番定４０００番が針先端の鋭利さにおいて良好な結果が得られた。【０００８】請求項３には、
請求項１、２において、前記テープ素材がナイロン、ポリウレタン、塩化ビニール、またはＰＥＴ（ポリエチレンテレフタレート）であることを特徴とする針砥ぎ治具が記載されている。すなわち、前記テープ素材の選定は、砥ぎ作業におけるテープ素材の反発力や習い変形が針の基本形状を崩さず、先端部を鋭利に仕上げる効果が得られる。【００１０】
請求項４には、請求項３において、前記テープ素材の色を砥粒の平均粒径に合わせ設定し、テープ裏面を着脱可能とし、当該着脱可能な研磨テープの識別を容易にすることを特徴とする針砥ぎ治具が記載されている。漁師は時間帯により、また現場海域の状況や、河川の状況により目的の狙い魚を変更する。そのような場合、マジックテープ（登録商標）で簡単に着脱できる前記針砥ぎ治具の色が番定を表しているので、容易に必要番定の前記針砥ぎ治具に交換できるため便利である。
【発明の効果】
【００１１】  本発明によれば、針の交換による時間のロスと費用の無駄を無くし、河川を汚さない利点があるばかりでなく、連続の当たりが来ている好条件のタイミングを針交換の時間の無駄を無くし、釣果を上げることができる。【００１２】  以下に本発明を実施するための最良の形態を実施例に基づき説明する。
【実施例】
【００１３】  本発明の実施例を図１から図９によって説明する。
図１に本発明における針砥ぎ治具の実装例の模式図を示す。
図において、前記釣り現場で着用する衣服２またはチョッキ３に研磨テープ治具１を装着し、針砥ぎを要する時は、針先を前記研磨テープ治具１に押し付け摺動させることで、容易に針砥ぎが行えるようにしたものである。研磨テープ治具１の取付け位置は、腕、胸位置、肩位置、また利き腕によって、左右使いやすい一箇所の位置に装着すればよい。また、腕章状にの場合、針先当たり角度も良く、釣りの動作とともに使いやすい。
この場合、３本または４本組の錨型針セットのうちの１本の針のみが劣化しただけであったとしても、セットごと廃棄していたので、極めて無駄が多かった。また、交換の手間がかかっていたのに対し、針砥ぎ動作は極めて短時間で行えるため、針を無駄にすることなく、また、時間を無駄にすることがない。【００１４】  図２に本発明における針砥ぎ治具を必要とする釣り針先端近傍の顕微鏡写真を示す。
以下の針先形状と針先端部の評価には、株式会社ニコン製生物顕微鏡ＯＰＴＩＰＨＯＴＯ−１００Ｓを使用し、計測には、株式会社島津理化製顕微鏡デジタルシステムＭｏｔｉｃａｍ２０００を用いて計測を行った。
図２に示す写真は、鮎釣り針の先端が川底の石に当たり、折損不良が生じた状態の例である。特に、鮎友釣りにおいては、針の先端が川底の石に当たり、引きずる程度に河底の十分低い位置を移動させる必要があることから、針先の劣化や折損が生じ安い。
図２に示す写真において、鮎釣り針の先端近傍の折損部直径が２．９μｍとなっており、そのままの状態では、針掛かりしない。
このような場合、従来は錨型に３本から４本の針を組み合わせて作られている鮎の友釣用の針のセットを針の固定座金から外し、破棄すると共に新規の針のセットと交換するという無駄が生じていた。【００１５】図３に本発明における針砥ぎ治具を使用した後の釣り針先端近傍の顕微鏡写真を示す。
図２の針先が劣化した針を指先でつかみ、砥粒の平均粒径が３μｍ（４０００番）の研磨テープ治具１に５回圧接摺動させ針先を砥ぎ、その後の針先の顕微鏡写真を示す。このように、簡単に圧接摺動で針先の劣化が修復できるため、針交換の時間損失と良好なタイミングを外すことなく釣果を確保できる。
この場合、たとえば４本の錨型針の場合、１本のみ前記針先端部が劣化したのであれば、劣化した針のみを砥げばすむのであって、従来は他の３本が良好な先端状態を呈していても針のセットごと破棄するという無駄があった。【００１６】図４に本発明における針砥ぎ治具を必要とする釣り針先端近傍の顕微鏡写真を示す。
写真から針先径が１．１μｍ以上になると、鮎の針掛かりが低迷するばかりか、針掛かりした鮎の傷が大きく、その後の鮎の消耗に大きく影響する。【００１７】図５に本発明における針砥ぎ治具を使用した後の釣り針先端近傍の顕微鏡写真を示す。
図４の不具合品を砥粒の平均粒径が３μｍ（４０００番）の研磨テープ治具１で２回圧接摺動した後の砥ぎ後の針先顕微鏡写真である。２回程度の圧接摺動後であっても、針先径は０．８μｍ程度に十分鋭利な先端状態に砥がれていることがわかる。更に２回から３回の砥ぎ動作を行えば、０．５μｍ程度の鋭利な針先状態が得られる。次表に砥粒の番定と平均粒径の関係を記載する。
【表−１】
0005344840.tif 000002
番定毎に台座や、テープ材の色を変え、取り扱い上の識別を良くしている。【００１８】図６に本発明における針砥ぎ治具を必要とする釣り針先端近傍の顕微鏡写真を示す。
先端先が０．８μｍ程度の丸みを有する未使用の針も中には存在する。この場合、指の爪に針先を当ててみることによって、容易にずれるようであれば、鮎釣りには不十分であり、砥ぐ必要が生じる。１回の砥ぎ動作は、０．５秒程度であるので、５回程度の砥ぎ動作でも５秒もかからず、０．５μｍ程度の針先の鋭利さを確保できる。【００１９】図７、図８に本発明における針砥ぎ治具を必要とする釣り針先端近傍の顕微鏡写真を示す。
いづれにしても、釣果を得るための針先の状態は、０．５μｍ程度の針先の鋭利さを要するため、数回程度の砥ぎ動作により、２から３秒で針先を修復できることで、効果が得られるため、時間の損失、タイミングの喪失、針の交換による経費節約が図れるばかりか、河川の汚染を防止できること、廃棄した針に魚や小動物、鳥類などが掛かり自然環境への悪影響が防止できる。【００２０】図９に本発明における針砥ぎ治具を使用した後の釣り針先端近傍の顕微鏡写真を示す。
針砥ぎ動作が簡単であるため、１０回程度の針砥ぎ動作を行うとどうなるかを確認した。写真からわかるように、針先端部が細り、多少の曲りが生じている。従って、強度が多少落ちてくることを考慮し、数回以上の砥動作は不必要であることがわかる。
この針を使用した場合の掛り具合に影響はないが、針先劣化を早めるため、数回の砥動作で十分である。【００２１】ここでは、針先の影響が出やすい繊細な釣りとして知られる鮎釣りの例をしましたが、石鯛釣りの他、漁船による釣りにおいても同様の針先端部の鋭利さが釣果や漁獲高を上げる効果が得られる。その場合、それぞれ前述の砥粒の粒径と、テープ素材と台座とする素材を適正選択して良好な結果を得れ、趣味の釣りから、漁業に至るまで応用することができる。
【図面の簡単な説明】
【００２２】
【図１】本発明における針砥ぎ治具の実装例の模式図を示す。
【図２】本発明における針砥ぎ治具を必要とする釣り針先端近傍の顕微鏡写真を示す。
【図３】本発明における針砥ぎ治具を使用した後の釣り針先端近傍の顕微鏡写真を示す。
【図４】本発明における針砥ぎ治具を必要とする釣り針先端近傍の顕微鏡写真を示す。
【図５】本発明における針砥ぎ治具を使用した後の釣り針先端近傍の顕微鏡写真を示す。
【図６】本発明における針砥ぎ治具を必要とする釣り針先端近傍の顕微鏡写真を示す。
【図７】本発明における針砥ぎ治具を必要とする釣り針先端近傍の顕微鏡写真を示す。
【図８】本発明における針砥ぎ治具を必要とする釣り針先端近傍の顕微鏡写真を示す。
【図９】本発明における針砥ぎ治具を使用した後の釣り針先端近傍の顕微鏡写真を示す。
【符号の説明】
【００２３】１  研磨テープ治具          ２  服          ３  チョッキ
【図１】
0005344840.tif 000003
【図２】
0005344840.tif 000004
【図３】
0005344840.tif 000005
【図４】
0005344840.tif 000006
【図５】
0005344840.tif 000007
【図６】
0005344840.tif 000008
【図７】
0005344840.tif 000009
【図８】
0005344840.tif 000010
【図９】
0005344840.tif 000011